(57)【特許請求の範囲】
【請求項１】
複数並べた容器の開口列へ固着させる一枚のシート体であって、前記容器の開口縁に形成したフランジ部に固着させるシール面を複数有し、前記シール面の並びの狭間には個別に分離する境界を示す分断線を備える密封容器の蓋体において、
前記分断線は、前記境界の両端部に１箇所以上で断続的にフルカットされている初期分断線を配設し、当該両端部の初期分断線間の中央にハーフカットパターンを設けて形成したことを特徴とする密封容器の蓋体。
【請求項２】
前記ハーフカットパターンは、表面では、前記境界を挟む２条の並びライン及びそれら並びラインの端部を繋ぐ交差ラインとによる閉塞パターンとし、裏面では、前記境界上に位置する１条のハーフカットラインとしたことを特徴とする請求項１に記載の密封容器の蓋体。
【請求項３】
前記交差ラインの形状を、前記２条の並びラインから継続して初期分断線に向かう突出状又は２条の並びラインの内側に向かう突出状の屈曲形状もしくは湾曲形状としたことを特徴とする請求項２に記載の密封容器の蓋体。
【請求項４】
前記シール面に、前記フランジ部に対応して周回するハーフカットパターンを表裏対に設けるが、当該ハーフカットパターンは一方の角で閉塞させずに、前記角を挟んでそれぞれ縁部へ終結するスリットパターンと連結させて、当該角部を、前記容器に固着させた蓋体を引き剥がす際に摘む摘み片に成形したことを特徴とする請求項１〜３のいずれかに記載の密封容器の蓋体。
【発明の詳細な説明】
【０００１】
【発明の属する技術分野】
本発明は、複数並べた容器の開口列へ固着させて一連に密封する密封容器の蓋体に関し、とりわけ、それら密封容器を個別に分離するための分断線を備えるようにした密封容器の蓋体に関する。
【０００２】
【従来の技術】
密封容器に関しては、容器の開口縁にフランジ部を設けて、そのフランジ部へシート状の蓋体を固着させて密封する構成のものが知られており、例えばプリンやゼリー等の食品のパッケージングに使用されている。
【０００３】
また、例えば実開昭５７−１７４３７５号などの公報に見られるように、食品等を収納した単位容器を複数並べて、それら容器の開口列へ一枚のシート状蓋体を固着させて一連に密封することが行われている。蓋体には、単位容器間の狭間部分にミシン目を設けてあり、そのミシン目から単位容器を個別に切り離すようになっている。この場合、風味や色彩等の機能が異なる複数製品を一つにまとめることによって多様化できるといったメリット等がある。
【０００４】
【発明が解決しようとする課題】
しかしながら、そうした密封容器の蓋体にあっては、一連化した容器列を個別に切り離す際に、ミシン目から外れて引き裂けてしまい、単位容器の開口を密封している部分をも破いてしまうという問題があった。
【０００５】
つまり、ミシン目は、切り離しを容易に行えるようにするために分断線として設けるが、流通段階で衝撃を受けても不必要に分断されない程度の強度に設定してあり、逆にそのため個別に切り離す際に、ミシン目のラインでもって裂けずにラインから外れて引き裂かれることがある。ミシン目から外れて引き裂かれると、単位容器の開口部分（密封部分）をも破いてしまう不良を起こすことがあった。
【０００６】
そこで、ミシン目を設ける部分の幅、つまり単位容器間の狭間部分の幅を広く設定して、マージンを取ることが行われている。しかしその場合でも、ミシン目から外れて引き裂かれることは完全に防止できず、逆に複数の容器を一連に繋いでいる薄いシート状部分の幅が広がるので、取り扱いの際にヘナヘナとしなるようになり、強度面で新たな問題が発生する。
【０００７】
本発明は、このような事情に鑑みてなされたものであり、複数並べて一連化した容器列を個別に切り離す際に、分断線から外れて裂けることなく容易に切り離すことができ、しかもその一方、流通段階で多少の衝撃を受けても分離することのない強度で複数並べた容器列を一体に連結できる密封容器の蓋体を提供することを目的とする。
【０００８】
【課題を解決するための手段】
上記した目的を達成するために本発明の密封容器の蓋体は、複数並べた容器の開口列へ固着させる一枚のシート体であって、前記容器の開口縁に形成したフランジ部に固着させるシール面を複数有し、前記シール面の並びの狭間には個別に分離する境界を示す分断線を備える密封容器の蓋体において、
前記分断線は、前記境界の両端部に１箇所以上で断続的にフルカットされている初期分断線を配設し、当該両端部の初期分断線間の中央にハーフカットパターンを設けて形成する。
【０００９】
本発明の密封容器の蓋体において、前記ハーフカットパターンは、表面では、前記境界を挟む２条の並びライン及びそれら並びラインの端部を繋ぐ交差ラインとによる閉塞パターンとし、裏面では、前記境界上に位置する１条のハーフカットラインとして構成することが好ましい。
【００１０】
また、前記交差ラインの形状を、前記２条の並びラインから継続して初期分断線に向かう突出状又は２条の並びラインの内側に向かう突出状の屈曲形状もしくは湾曲形状として構成することが好ましい。
【００１１】
また、前記シール面に、前記フランジ部に対応して周回するハーフカットパターンを表裏対に設けるが、当該ハーフカットパターンは一方の角で閉塞させずに、前記角を挟んでそれぞれ縁部へ終結するスリットパターンと連結させて、当該角部を、前記容器に固着させた蓋体を引き剥がす際に摘む摘み片に成形して構成する。
【００１２】
【発明の実施の形態】
以下、本発明にかかる密封容器の蓋体の実施形態を添付図面に基づいて説明する。
【００１３】
図１は、本発明の実施形態例を適用した密封容器及びその蓋体を示す斜視図である。そして、図２は、図１の密封容器の蓋体の平面図である。
【００１４】
この蓋体１は、一枚のシート体から形成してあり、複数並べた容器２の開口列へ固着させて一連に密封する構成にしてある。本実施形態では、二つ並べた容器２，２へ蓋体１を固着する構成にしてある。しかしもちろん、一連に密封する容器２の並び列は、２個に限定されるものではない。
【００１５】
容器２は、開口縁の全周にフランジ部２０を形成してあり、そのフランジ部２０に蓋体１の裏面（シール面）を固着させる構成である。
【００１６】
蓋体１は、裏面がフランジ部２０に固着させる連結した二つのシール面を有し、シール面の並びの狭間部分に、分離する境界を示す分断線３が設けてあって、その分断線３を切り裂くことにより容器２，２を個別に切り離すことができる。
【００１７】
分断線３は、両端部に１箇所以上で断続的にフルカットされている初期分断線４が配設され、中央部にはハーフカット加工によりハーフカットパターン５が形成されている。
【００１８】
初期分断線４は、断続的にフルカット（切り込み）され、そのフルカットの長さ及びピッチは、容器の大きさ等に応じて所定の設定に形成してあり、これらを適切に設定することにより、比較的大きな切断力に耐えられる構成にする。
【００１９】
ハーフカットパターン５は、その形状を表面では、分離する境界を挟む２条の平行ライン５０，５０及びそれら平行ライン５０，５０の端部を繋ぐ交差ライン５１とによる閉塞パターンにしてあり、裏面には分離する境界上に位置する１条のハーフカットライン５２としてある。
【００２０】
そして、交差ライン５１は、その形状を、２条の平行ライン５０，５０から継続して初期分断線４に向かって突き出る屈曲形状にしてある。但し、交差ライン５１の形状はこれに限定されず、本実施形態とは逆側、即ち２条の平行ライン５０，５０の内側に向かって突き出る屈曲形状や湾曲形状、あるいは２条の平行ライン５０，５０の先端を繋いで直線状としたもの、さらにはこれらの組み合わせであってもよい。
【００２１】
各シール面には、フランジ部２０に対応して周回するハーフカットパターン６をハーフカット加工により表裏対に設けるが、当該ハーフカットパターン６は三方の角では縁部に連結させずに、一方の角でそれぞれ縁部へ終結するスリットパターン８と連結させて、当該角部を、容器２に固着させた蓋体１を引き剥がす際に摘む摘み片７を成形する構成である。ここでは、ハーフカット加工の周回パターンを、表面側の表周回ライン６０よりも裏面側の裏周回ライン６１を容器中央側に形成する設定にしている。従って、切断容易なスリットパターン８よりなる摘み片７を引き起こすことで、これと連なるハーフカットパターン６の側も共に引き剥がすことになり、フランジ部２０を周回するシール部分を開けることができ、つまり容器２の開口のシールが開けられる。
【００２２】
通常、切り離しを行う境界におけるハーフカット加工では、表裏で位置をずらして対に形成し、形成したハーフカットラインを引き裂くための切断力は、表裏のずらし幅に依存する。ただし、このハーフカット加工は、ミシン目加工の場合のように、比較的大きな切断力を要せず、ずらし幅を適切に設定することにより比較的小さな切断力で裂けるように構成できる。本実施形態では、２条の平行ライン５０，５０と１条のハーフカットライン５２とのずらし幅、及び表裏の周回ライン６０，６１のずらし幅を適切に設定してあり、何れも比較的小さな切断力で引き裂ける設定にしてある。
【００２３】
即ち、分断線３の形成では、分離する境界の両端部を１箇所以上で断続的にフルカットされている初期分断線４，４にして、比較的大きな切断力に耐える設定で強度を分担させ、中央部をハーフカットパターン５とすることによって、比較的小さな切断力で引き裂ける設定にしてある。
【００２４】
従って、分断線３で切り離す際は、切り離しを始める端部は強度がある初期分断線４ではあるものの長さが短いことから、図３に示すように、その形成ライン上で引き裂くことができる。そして、続く中央部は、比較的小さな切断力で引き裂けるハーフカットパターン５なので、その形成パターンの内側で容易に引き裂くことができ、反対側端部の初期分断線４に到達すれば、切り離し始端側と同様にその長さが短いことから、形成ライン上で引き裂くことができる。
【００２５】
その結果、一連化した容器２，２を個別に切り離す際に、分断線３から外れて裂けることを防止することができ、その分断線３の部分を容易に切り離すことができる。
【００２６】
一方、境界となる分断線３では、両端の初期分断線４，４が強度を分担するので、複数並べた容器２，２を十分な強度で一体に連結できる。
【００２７】
さらに、交差ライン５１の形状を、２条の平行ライン５０，５０から継続して初期分断線４に向かう突出状の屈曲形状にしてあるので、分断線３で切り離す際は、引き裂けていく切れ目をそれら平行ライン５０，５０の部分へ正しく案内することができる。
【００２８】
また、一連化した容器２，２を個別に切り離す際に、分断線３から外れて裂けることを防止できるので、当該狭間部分の幅を狭く設定できる。つまり、通常、ハーフカット加工では、ラインパターンを表裏で対に形成する必要があり、本実施形態のように、表面に２条の平行ライン５０，５０を設ければ、裏面にも位置をずらして２条のラインパターンが必要になる。しかしここでは前述したように、表面側を閉塞パターンに構成しているので、裏面側のハーフカットラインを中央に位置する１条のハーフカットラインにすることができ、このため、容器２，２間の狭間部分の幅を狭く設定できる。そして、容器２，２を一連に繋いでいる部分が狭い幅で済むので、剛性が高くなり強度面でも好ましい。
【００２９】
ところで、蓋体１のシール面の一方の角は、ハーフカットパターン６に連なる切断容易なスリットパターン８よりなる摘み片７に成形してあるので、その摘み片７を指で摘んで引き起こすことにより、図４に示すように、これと連なるハーフカットパターン６つまりフランジ部２０を周回するシール部分を開けることができ、容器２の開口シールを容易に開けられる。
【００３０】
【発明の効果】
以上説明したように本発明によれば、個別に分離する境界を示す分断線は、境界の両端部に初期分断線を配設し、当該初期分断線間の中央部にハーフカットパターンを設けて形成されているので、分断線の形成では、分離する境界の両端部は比較的大きな切断力に耐える初期分断線が強度を分担し、中央部は比較的小さな切断力で引き裂けるハーフカットパターンが強度を分担する。
【００３１】
従って、分断線で切り離す際は、切り離しを始める端部は強度がある初期分断線ではあるものの長さが短く限定されているので、その形成ライン上で引き裂くことができる。そして、続く中央部は、比較的小さな切断力で引き裂けるハーフカットパターンなので、その形成パターンの内側で容易に引き裂くことができ、反対側端部の初期分断線に到達すれば、切り離し始端側と同様に長さが短く限定されているので、形成ライン上で引き裂くことができる。
【００３２】
その結果、一連化した容器列を個別に切り離す際に、分断線から外れて裂けることを防止することができ、その分断線の部分を容易に切り離すことができる。
【００３３】
一方、境界となる分断線では、両端部の初期分断線が強度を分担するので、複数並べた容器を十分な強度で一体に連結できる。
【００３４】
また、ハーフカットパターンは、表面では、境界を挟む２条の並びライン及びそれら並びラインの端部を繋ぐ交差ラインとによる閉塞パターンとし、裏面では境界上に位置する１条のハーフカットラインとして構成するので、分断線の部分の幅、つまり容器間の狭間部分の幅を狭く設定できる。そして、容器を一連に繋いでいる部分が狭い幅で済むので、剛性が高くなり強度面でも好ましい。
【００３５】
即ち、ハーフカット加工では、通常、ラインパターンを表裏で対に形成する必要があり、本発明のように、一方面に２条の並びラインを設ければ、他方面にも位置をずらして２条のラインパターンが必要になる。しかしここでは、一方面側を閉塞パターンに構成しているので、他方面側のラインパターンを中央に位置する１条のハーフカットラインにすることができ、このため、容器間の狭間部分の幅を狭くすることができる。
【００３６】
また、交差ラインの形状を、２条の並びラインから継続して初期分断線に向かう突出状又は２条の並びラインの内側に向かう突出状の屈曲形状もしくは湾曲形状として構成するので、分断線で切り離す際には、引き裂けていく切れ目をそれら並びラインの部分へ正しく案内することができる。
【００３７】
また、シール面に、フランジ部に対応して周回するハーフカットパターンを表裏対に設けるが、当該ハーフカットパターンは一方の角で閉塞させずに、前記角を挟んでそれぞれ縁部へ終結するスリットパターンと連結させて、当該角部を、容器に固着させた蓋体を引き剥がす際に摘む摘み片に成形して構成されているので、切断容易なスリットパターンよりなる摘み片を指で摘んで引き起こすことにより、これと連なるハーフカットパターンつまりフランジ部を周回するシール部分を開けることができ、容器の開口シールを容易に開けられる。
【図面の簡単な説明】
【図１】本発明の実施形態例を示し、密封容器及びその蓋体の斜視図である。
【図２】図１に示す密封容器の蓋体の平面図である。
【図３】図１，２に示す蓋体の分断線により密封容器を個別に切り離す様子の斜視図である。
【図４】図３で切り離した密封容器の蓋体を摘み片により剥がす様子の斜視図である。
【符号の説明】
１        蓋体
２        容器
３        分断線
４        初期分断線
５，６    ハーフカットパターン
７        摘み片
２０      フランジ部
５０      平行ライン（並びライン）
５１      交差ライン
５２      ハーフカットライン
６０      表周回ライン
６１      裏周回ライン
８        スリットパターン
【図１】
0004550971.tif 000002
【図２】
0004550971.tif 000003
【図３】
0004550971.tif 000004
【図４】
0004550971.tif 000005